(57)【特許請求の範囲】
【請求項１】
表示画面を有する表示部と、
表示画面上に設けられ、タッチ入力を受け付けるタッチパネルと、
前記表示部に、複数のコンテンツが表示されているとき、前記タッチパネルがタッチ入力を受け付けた経路上に表示されている複数のコンテンツを選択状態とし、前記タッチパネルがタッチ入力を受け付けた経路上で前記選択状態となったコンテンツが再度選択された場合、後で選択された重複コンテンツを無効とし、先に選択されたコンテンツの選択状態を維持する選択部と、
前記選択部で選択された複数のコンテンツの順序を記憶する記憶部と、
前記記憶部に記憶された複数のコンテンツに対して、前記順序に従って所定の動作を実行する制御部と、
を具える
することを特徴とする電子機器。
【請求項２】
選択部は、タッチ入力が受け付けられなくなった後、所定時間内に再度タッチ入力を受け付けると、再び選択動作を継続する請求項１に記載の電子機器。
【請求項３】
前記選択部は、タッチパネルからタッチ入力が受け付けられなくなると、前記選択状態のコンテンツを選択対象として確定する請求項1又は請求項２に記載の電子機器。
【請求項４】
選択部は、選択動作が終了した後、タッチパネルへのタッチ入力により選択された何れかのコンテンツが再度選択されると、再度選択されたコンテンツを前記記憶部に記憶された順序より削除する請求項１に記載の電子機器。
【請求項５】
コンテンツは音楽ファイルであって、選択部は、コンテンツが選択された順序でプレイリストを作成する請求項１乃至請求項４の何れかに記載の電子機器。
【請求項６】
コンテンツは、少なくとも画像、ファイル名の何れかが含まれる請求項１乃至請求項４の何れかに記載の電子機器。
【請求項７】
コンテンツは、少なくとも画像、ファイル名、アイコン、サムネイル、フォルダの何れかにより表示される請求項１乃至請求項６の何れかに記載の電子機器。
【請求項８】
表示画面を有する表示部と、
表示画面上に設けられ、タッチ入力を受け付けるタッチパネルと、を有する電子機器のコンピュータに、
前記表示部に、複数のコンテンツが表示されているとき、前記タッチパネルがタッチ入力を受け付けた経路上に表示されている複数のコンテンツを選択状態にすると共に選択された複数のコンテンツの順序を記憶する手順と、
前記タッチパネルがタッチ入力を受け付けた経路上で前記選択状態となったコンテンツが再度選択された場合、後で選択された重複コンテンツを無効とし、先に選択されたコンテンツの選択状態を維持する手順と、
前記選択された複数のコンテンツに対して、前記順序に従って所定の動作を実行する手順と、
を実行させることを特徴とする電子機器のプログラム。
【請求項９】
表示画面を有する表示部と、
表示画面上に設けられ、タッチ入力を受け付けるタッチパネルと、を具える電子機器の制御方法であって、
前記表示部に、複数のコンテンツが表示されているとき、前記タッチパネルがタッチ入力を受け付けた経路上に表示されている複数のコンテンツを選択状態にすると共に選択された複数のコンテンツの順序を記憶し、
前記タッチパネルがタッチ入力を受け付けた経路上で前記選択状態となったコンテンツが再度選択された場合、後で選択された重複コンテンツを無効とし、先に選択されたコンテンツの選択状態を維持し、
前記選択された複数のコンテンツに対して、前記順序に従って所定の動作を実行することを特徴とする電子機器の制御方法。
【発明の詳細な説明】
【技術分野】
【０００１】
本発明は、表示画面とタッチパネルを有する電子機器に関するものであり、より具体的には、複数のコンテンツを選択する際の操作性を向上できる電子機器に関するものである。
【背景技術】
【０００２】
各種の情報を表示可能な表示画面を有し、該表示画面にタッチパネル式の操作手段を具えた電子機器が知られている(例えば特許文献１参照)。
タッチパネルとして、指圧センサ方式、抵抗膜方式、静電容量方式のものが知られており、ユーザは、表示画面に表示された文字やイメージを視認するだけでなく、タッチパネルをタップ、ダブルタップ、フリック、ドラッグ等することで搭載されたアプリケーションに応じたデータやフォルダ(以下「コンテンツ」と称する)の操作、編集等の処理を行なうことができる。
【０００３】
例えば、アプリケーションがメールソフトである場合、メール作成時にイメージデータ、文書データなどのコンテンツをタッチパネルの操作によってメールに添付することができる。
また、音楽プレーヤの場合、音楽データや音楽ファイルをタッチパネルの操作により選択し、聴取することができる。
【先行技術文献】
【特許文献】
【０００４】
【特許文献１】特開２００７−４７９７号
【発明の概要】
【発明が解決しようとする課題】
【０００５】
イメージデータなどのコンテンツをメールに添付したり、その他操作のために選択する場合に、ユーザはコンテンツを１つずつ指定する必要があり、複数のコンテンツを選択するには、上記操作を繰り返す必要があった。従って、操作に手間がかかり、操作性が十分ではない。
【０００６】
また、予め定義された選択肢を選択することのできる所謂チェックボックスにより、コンテンツを複数選択することも可能であるが、この場合でも、選択したいコンテンツに対応するラジオボタンを１つずつタップ等により指定する必要があり、操作に手間がかかる。
【０００７】
本発明の目的は、複数のコンテンツを連続して選択する際の操作性を向上させる電子機器を提供することである。
【課題を解決するための手段】
【０００８】
上記課題を解決するために、本発明の電子機器は、
表示画面を有する表示部と、
表示画面上に設けられ、タッチ入力を受け付けるタッチパネルと、
前記表示部に、複数のコンテンツが表示されているとき、前記タッチパネルがタッチ入力を受け付けた経路上に表示されている複数のコンテンツを選択状態とする選択部と、を具え、
前記選択部は更に、前記タッチパネルがタッチ入力を受け付けた経路上で前記選択状態となったコンテンツが再度選択された場合、選択状態を解除するものである。
【０００９】
また、本発明の電子機器のプログラムは、
表示画面を有する表示部と、
表示画面上に設けられ、タッチ入力を受け付けるタッチパネルと、を有する電子機器のコンピュータに、
前記表示部に、複数のコンテンツが表示されているとき、前記タッチパネルがタッチ入力を受け付けた経路上に表示されている複数のコンテンツを選択状態とする手順と、
前記タッチパネルがタッチ入力を受け付けた経路上で前記選択状態となったコンテンツが再度選択された場合、選択状態を解除する手順と、
を実行させるものである。
【００１０】
さらに、本発明の電子機器の制御方法は、
表示画面を有する表示部と、
表示画面上に設けられ、タッチ入力を受け付けるタッチパネルと、を具える電子機器の制御方法であって、
前記表示部に、複数のコンテンツが表示されているとき、前記タッチパネルがタッチ入力を受け付けた経路上に表示されている複数のコンテンツを選択状態とし、
前記タッチパネルがタッチ入力を受け付けた経路上で前記選択状態となったコンテンツが再度選択された場合、選択状態を解除するものである。
【発明の効果】
【００１１】
本発明の電子機器によれば、ユーザは、表示画面に表示されたコンテンツを視認しつつ、タッチパネルにタッチ入力し、その受け付けた経路上に表示されている複数のコンテンツを選択状態とすることができる。この選択動作は、自由度が高く、直感的な操作であるから、電子機器の操作性を可及的に高めることができる。
また、重複してコンテンツを選択した場合には、その選択状態は解除されるから、コンテンツが重複して選択されることを防止できる。
選択状態となったコンテンツは、例えば、タッチパネルからの入力がなくなることで確定され、例えば、選択されたコンテンツのリストの作成に用いることができる。
【図面の簡単な説明】
【００１２】
【図１】図１は、本発明が適用される電子機器の一例を示す斜視図である。
【図２】図２は、本発明の電子機器のブロック図である。
【図３】図３は、ファイルマネージャ画面の一例を示す説明図である。
【図４】図４は、本発明の動作の一例を示すフローチャート図である。
【図５】重複コンテンツを無効とする処理の例を示す説明図である。
【図６】図６は、選択されたコンテンツをメールに添付した状態を示す表示画面の説明図である。
【図７】図７は、音楽ファイルのプレイリスト作成画面を示す説明図である。
【図８】メールにコンテンツを添付して送信するフローチャート図である。
【図９】図８のフローチャート図に対応した表示画面の説明図である。
【図１０】図１０は、動画再生画面においてお気に入りリストの作成画面を示す説明図である。
【発明を実施するための形態】
【００１３】
以下では、図１に示すように、２つの表示画面(21)(31)を有し、各表示画面(21)(31)にタッチパネル(22)(32)を具える携帯型の電子機器(10)に本発明を適用した実施例について説明する。なお、図示の電子機器(10)は、説明のためのものであり、具体的な構造、構成について、本発明を限定的に解釈すべきでないことは勿論である。
【００１４】
電子機器(10)は、プラットフォームとなるオペレーティングシステム上で１又は複数のアプリケーションを起動し、表示画面(21)(31)に各種情報を表示し、ユーザがタッチパネル(22)及び／又はタッチパネル(32)を操作することで、操作、編集などの処理を行なうことができる。
【００１５】
まず、本実施例に係る携帯型電子機器(10)の構造について説明を行なう。
電子機器(10)は、図１に示すように、ユーザの所望するアプリケーションに対応して、文字、図形、イメージ、映像、音楽、動画等の情報を表示可能な２つの表示画面(21)(31)と、該表示画面の表面にユーザが触れることで操作可能なタッチパネル(22)(32)とを有する表示部(20)(30)を、連結機構(40)によって相対的に開閉やスライド等により移動可能に連結して構成することができる。なお、表示部(20)(30)は、２つに限定されるものではない。
【００１６】
第１表示部(20)及び第２表示部(30)は、図１に示すように、一方の面が開口した筺体(23)(33)内に、情報を表示可能な表示画面(21)(31)が開口側から視認可能となるように収容されている。表示画面(21)(31)は、後述する制御手段(60)(図２参照)に電気的に接続され、各種情報を表示可能となっている。なお、図１において、紙面右奥側に位置する表示部を第１表示部(20)、左手前側に位置する表示部を第２表示部(30)と称する。
【００１７】
表示画面(21)(31)は、液晶ディスプレイを例示できる。表示画面(21)(31)の開口側には、図１に示すように、ユーザが指先(100)等で触れることにより操作可能なタッチパネル(22)(32)を有する。タッチパネル(22)(32)は、筺体(23)(33)の開口を塞ぐように配設され、表示画面(21)(31)が視認可能となるよう透明に形成されている。タッチパネル(22)(32)として、指圧センサ方式、静電容量方式、抵抗膜方式のものを例示できる。
【００１８】
第１表示部(20)と第２表示部(30)は、連結機構(40)により、相対的に移動可能とすることができ、詳細な構成の説明は省略するが、例えば、第１表示部(20)を第２表示部(30)に対してスライド可能及び／又は回動可能とする構成を例示できる。
【００１９】
図２は、本発明の電子機器のブロック図の一例を示している。
電子機器(10)のすべての制御は、図２に示すように、ＣＰＵ等から構成される制御手段(60)により行なわれ、制御手段(60)には、以下で詳細に説明するように、タッチパネル(22)(32)がタッチパネル判定部(25)(35)を介して接続されており、また、表示画面(21)(31)、オペレーティングシステム制御部(70)、アプリケーション制御部(71)、選択部(72)、記憶部となるメモリ(61)等が接続されている。
【００２０】
第１タッチパネル(22)及び第２タッチパネル(32)は、夫々第１タッチパネル判定部(25)、第２タッチパネル判定部(35)を介して制御手段(60)に電気的に接続されている。第１タッチパネル(22)及び第２タッチパネル(32)からのユーザの入力は、座標情報としてタッチパネル判定部(25)(35)を介して制御手段(60)に送信され、制御手段(60)は、入力に応じて、表示画面(21)(31)の情報を編集、操作等行なう。
【００２１】
ユーザが指(100)やスタイラスペン等によりタッチパネル(22)(32)に対して行なうことのできる操作内容として、比較的短くタッチパネル(22)(32)に触れるタップやダブルタップ、タッチパネル(22)(32)に触れる時間が、これらよりも長く、タッチパネル(22)(32)にタッチしたままタッチポイントを移動させる操作である所謂ドラッグ、タッチパネル(22)(32)をタッチしてから素早く払う操作である所謂フリック、タッチパネル(22)(32)を２つの指等でタッチしたままその距離を変える所謂ピンチ、タッチパネル(22)(32)の同じ位置を長押しする所謂ロングタッチ、タッチパネル(22)(32)に触れたまま、タッチパネル(22)(32)をなぞる所謂スワイプを例示することができる。
【００２２】
第１表示画面(21)、第２表示画面(31)は、制御手段(60)に電気的に接続されて、使用するオペレーティングシステムやアプリケーションソフトに対応した各種情報を表示可能となっている。
【００２３】
電子機器(10)に搭載されるオペレーティングシステムは、制御手段(60)に電気的に接続されたオペレーティングシステム制御部(70)によって作動する。オペレーティングシステムは、アプリケーションのインターフェースとなるシステムであり、アプリケーションの起動、終了、音量調整、時刻表示、アラーム設定、その他のシステム的な動作を行なうものである。
【００２４】
また、電子機器(10)で起動する各種アプリケーションは、前記オペレーティングシステム上で、制御手段(60)に電気的に接続されたアプリケーション制御部(71)によって作動する。アプリケーションとして、メールソフト、音楽プレーヤ、ブラウザ、ビューワーソフト等を例示することができる。
【００２５】
オペレーティングシステムやアプリケーションを起動し、コンテンツ表示操作を行なうことで(フローチャート図４のステップ１参照)、図３に示すように、第１表示画面(21)及び／又は第２表示画面(31)に複数のコンテンツを一覧表示することができる(ステップ２)。なお、図示の画面は、ファイル管理のためのファイルマネージャ画面であり、画面中にイメージデータをサムネイル(80)(80)で表示したものである。サムネイル表示に代えて、コンテンツを画像、アイコン、ファイル名やフォルダで表示することもできるし、コンテンツの格納されたフォルダ名毎に表示することもできる。
【００２６】
具体的実施形態のコンテンツとして、メールソフトを起動している場合には、添付することのできるイメージデータ等のデータの一覧、音楽プレーヤの場合は音楽データの一覧、ブラウザの場合はリンク(お気に入り)の一覧、ビューワーソフトの場合、イメージデータや動画データの一覧を例示できる。
【００２７】
コンテンツは、制御手段(60)に電気的に接続された記憶部であるメモリ(61)に格納しておくことができる。なお、メモリ(61)には、これらコンテンツの他、オペレーティングシステムやアプリケーション、電子機器(10)の各種動作が格納される。
【００２８】
上記したようにコンテンツを表示画面(21)(31)に表示した状態で、選択部(72)により複数のコンテンツを選択する。選択部(72)は制御手段(60)に接続されている。
選択部(72)は、コンテンツが表示画面(21)(31)に表示された状態で、ユーザが指(100)等でタッチパネル(22)(32)に触れ(ステップ３)、表示画面(21)(31)のコンテンツ表示位置とタッチ位置が一致したときに(ステップ４)、複数のコンテンツを選択して抽出し、そのリストを作成する。
【００２９】
より具体的には、選択部(72)は、タッチパネル(22)(32)へのユーザの操作により、タッチパネル判定部(25)(35)へ信号が入力されると(ステップ３)、次に示すコンテンツ選択処理を行なう(ステップ５〜７)。
【００３０】
コンテンツ選択処理は、図３に示すように、表示手段(21)(31)に表示されたコンテンツを視認しながら、タッチパネル(22)(32)に触れたまま(ステップ３)、タッチパネル(22)(32)上で指(100)等をスライド(スワイプ)させて、その経路上にある所望するコンテンツを順にタッチ入力して(例えば、タッチパネルをなぞる)、コンテンツを選択する処理である。
【００３１】
選択部(72)は、上記スライド操作によりその経路上にコンテンツがあった場合には、該当するコンテンツを選択状態とする(ステップ５)。
例えば、図３に実線Ｌで示すように、ユーザが指(100)等でサムネイル(80)(80)をＡ、Ｂ、Ａ、Ｄ、Ｅ、Ｈ(Ａは重複して選択されている)の順でなぞっていくと、Ａ、Ｂ、Ｄ、Ｅ及びＨのサムネイル(80)(80)が夫々選択状態となる。選択状態となったことが視認し易いように、選択状態となったサムネイル(80)(80)を点滅させたり、サムネイル(80)(80)の外周に枠等を表示することが望ましい。
【００３２】
なお、スライドしたときにコンテンツを２度なぞると、同じコンテンツが複数回重複して選択されることとなる(図５の選択順参照)。具体的には、上記した図３に実線Ｌで重複して選択されたコンテンツ(図ではサムネイルＡ)は、そのまま後述するリストに複数回登場するようにしてもよいが、フローチャート図４のステップ６及びステップ７に示すように、複数回選択されたコンテンツについては、その重複を避けるために、図５のリストに示すように、後で選択された重複コンテンツを無効とする。
【００３３】
コンテンツのサムネイル(80)(80)やアイコンなどが複数の画面に亘って配置されている場合は、タッチパネル(22)(32)に触れたまま、表示画面(21)(31)の端まで指(100)等をスライドさせ、又は表示画面(21)(31)の端を所定時間タッチしていると(ステップ８)、隣の画面にスクロールするようにして、スライド(スワイプ)動作を継続させることが望ましい(ステップ９)。
【００３４】
選択部(72)は、上記ユーザがスライド動作を終了するまで、順次コンテンツを選択していく。スライド動作は、例えば、タッチパネル(22)(32)からユーザが指(100)等を離したことで終了とみなし(ステップ１０)、コンテンツ選択処理にて選択されたコンテンツを確定することができる(ステップ１１)。これにより、選択部(72)は、選択されたコンテンツのリストを作成する。作成されたリストは、メールへの添付(図６参照)やプレイリストのライブラリ作成(図７参照)に用いることができる。
【００３５】
なお、上記スライド動作が完了してから、所定時間(例えば３秒)の間に、再度スライド動作が開始されたときには、引き続きフローチャート図４のステップ３に戻り、コンテンツ選択処理を継続するようにしてもよい。
【００３６】
また、スライド動作が完了した後、所定時間内に、選択された何れかのコンテンツをタップなどにより再度選択することで、リストから削除することもできる。
【００３７】
その他、図７に示すように、画面上に「ＯＫ」(81)、「Cancel」(82)等のサムネイルを表示しておき、「ＯＫ」(81)のサムネイルが選択された場合にはリスト作成を行ない、「Cancel」(82)のサムネイルが選択されたときには、リスト作成を中止するようにしてもよい。
【００３８】
上記により、ユーザは、コンテンツのサムネイル(80)(80)を視認しながら、直感的な操作により複数のコンテンツを選択することができるため、操作性が可及的に向上する。
【００３９】
図６は、図３乃至図５で作成されたリストをメールソフトのメールに添付した状態を示している。図では、作成されたリストの順にコンテンツ(図示では.jpgイメージ)を添付している。なお、メールへの添付等のように、コンテンツに順序が重要視されない場合は、コンテンツの日付順、ファイル名順等で添付するようにしてもよい。
【００４０】
図７は、図１に示した２つの表示画面(21)(31)を有する電子機器(10)を用い、アプリケーションとして音楽プレーヤを起動した状態を示している。図示では、上側の第１表示画面(21)に複数のプレイリスト(ライブラリ)を表示し、下側の第２表示画面(31)にプレイリストの作成画面を表示している。ユーザが、第１表示画面(21)から作成したプレイリスト(図示では「Ema’s play list」(84)であって、説明を判り易くするためにリスト作成後の状態を示している)をタッチパネル(22)の操作により選択すると、アプリケーションにより第２表示画面(31)にメモリ(61)に格納されている音楽ファイル(図示では「Music
Album 1〜10」)がサムネイル(80)(80)で表示されている。
【００４１】
この状態で、フローチャート図４、及び、図７中に実線Ｌ１で示すように、演奏したいアルバム順に指(100)等でなぞることで、アルバム２、６、７、１０、９、５、１、２、及び３の順序で音楽ファイルが選択される。なお、アルバム２は重複するために、フローチャート図４のステップ３及びステップ４、図５で説明した要領で、後から選択された重複ファイルを無効としている。スライド動作を完了し、所定時間経過又は「ＯＫ」(81)をタップ等することで、リストが作成され、選択された順序で「Ema’s play list」(84)に登録することができる。
登録されたプレイリストを再生することで、所望の音楽ファイルを所望の順序で聴取することができる。
【００４２】
このように、音楽ファイル等の場合は、ユーザの好みに応じて演奏順序が重要となってくるため、選択された順序でリストを作成することが好適である。
【００４３】
図８及び図９は、コンテンツを添付したメールの作成、送信の流れ及びその画面表示の具体例を示している。
メールソフトを起動した状態で、図８のステップ２１に示すようにメール作成コマンドが入力されると、図８のステップ２２及び図９(ａ)に示すように、メール作成画面(90)が表示される。このとき、図９(ａ)中、符号(91)で示すように、コンテンツ添付のボタンを操作すると(ステップ２３)、図９(ｂ)に示すように、コンテンツの選択画面(93)が表示され、図４にて説明したコンテンツ選択処理が行なわれる(ステップ２４)。より具体的には、図９(ｂ)に示すように、添付するコンテンツの格納箇所を指定する選択画面(93)を表示し、ユーザが例えば所望のフォルダを選択すると、図９(ｃ)に示すように選択されたフォルダに含まれるコンテンツの一覧画面(94)が表示される。
【００４４】
アプリケーション等によっては、タッチパネルをなぞる操作は、ドラッグ等の他の動作と認識されてしまうことがあるから、本発明によるコンテンツの選択処理に移行することを確認するボタン(95)を設けることができる。
【００４５】
確認ボタン(95)が操作されると、図９(ｄ)に示すように、チェックボックス(96)付きのファイルの一覧画面(97)へと移行し、フローチャート図４の要領で、所望のファイルを選択する。これにより、図９(ｅ)に示すように、選択されたファイルのチェックボックスにはチェックマーク(98)が付され、ユーザがタッチパネルから指を離すと、選択したコンテンツが添付される(ステップ２５)。
【００４６】
なお、コンテンツを確定する前に、ポップアップ(99)等で選択されたコンテンツを添付してよいかどうかを確認するようにしてもよい。
【００４７】
メールにコンテンツが添付された後、ユーザがメール作成画面にてメール送信を選択すると(ステップ２６)、コンテンツの添付されたメールが送信される(ステップ２７)。
【００４８】
図１０は、動画再生ソフトに本発明を適用した実施例である。
図示の実施例では、上側の表示画面(21)に動画再生画面を表示し、下側の表示画面(31)にインターネット等から検索した動画の一覧(90a)と、作成されるお気に入りリストのファイル名(90b)を表示するようにしている。
【００４９】
フローチャート図４の要領で、動画が選択されると(図示では動画の１、２及び５が順に選択されている)、選択された動画の一覧が、選択された順でお気に入りリストに追加される。なお、このとき、お気に入りリスト内のコンテンツについて、バッファリングを行なっておくことで、動画の再生をスムーズに行なうことができる。
【００５０】
本発明によれば、ユーザは所望するコンテンツをなぞるだけで、複数のコンテンツを選択し、順序づけてリストを作成することができ、その操作は極めて直感的であるから、操作性を可及的に向上することができる。
【００５１】
なお、本発明は、上記したメールソフトや音楽プレーヤのアプリケーションに限定されるものではなく、ブラウザやビューワーソフト等にも適用することができることは勿論である。
【００５２】
例えば、ブラウザでは、ブラウザ上で複数のイメージファイルが表示されている場合に、なぞる順序に応じて、イメージファイルの保存順序を変えたり、複数のリンクが表示されているときに、リンクをなぞる順序に応じて、次に開くリンクを決定するようにしてもよい。また、リンクをなぞる順序に応じて、別ウィンドウでリンクを開いていくようにしてもよい。
【００５３】
その他、複数のコンテンツをまとめて削除したい場合にも、削除したいコンテンツを順になぞっていくことで選択を行なうことができる。この場合には、選択順序は必要な情報ではないから、順序付けを省略することもできる。
【００５４】
上記のとおり、直感的な操作で複数のコンテンツを選択することができるから、感覚的に操作しやすい電子機器(10)を提供できる。
【産業上の利用可能性】
【００５５】
本発明は、複数のコンテンツを直感的な操作で選択することのできる操作性にすぐれた電子機器として有用である。
【符号の説明】
【００５６】
(10)  電子機器
(20)  第１表示部
(21)  第１表示画面
(22)  第１タッチパネル
(25)  第１タッチパネル判定部
(30)  第２表示部
(31)  第２表示画面
(32)  第２タッチパネル
(35)  第２タッチパネル判定部
(40)  連結機構
(60)  制御手段
(61)  メモリ(記憶部)
(70)  オペレーティングシステム制御部
(71)  アプリケーション制御部
(72)  選択部
(80)  サムネイル
【図１】
0006029261.tif 000002
【図２】
0006029261.tif 000003
【図３】
0006029261.tif 000004
【図４】
0006029261.tif 000005
【図５】
0006029261.tif 000006
【図６】
0006029261.tif 000007
【図７】
0006029261.tif 000008
【図８】
0006029261.tif 000009
【図９】
0006029261.tif 000010
【図１０】
0006029261.tif 000011